(57)【要約】      （修正有）【課題】シロアリの防除特性に優れ、取扱い及び設置が容易で、被設置物の損傷及び変形を防止できるようにしたシロアリ防除用シートを提供する。【解決手段】被設置面ａに設置され、面状構造を有するシート本体１１、シロアリの移動のために前記シート本体に形成されるシロアリ移動路１２及びシロアリ殺虫剤組成物により前記シート本体及び前記シロアリ移動路に形成されるシロアリ殺虫剤層を含むことを特徴とする。【選択図】図２
2016131567.tif 000002
【特許請求の範囲】
【請求項１】
シロアリの除去のためのシロアリ防除用シートにおいて、
被設置面に設置され、面状構造を有するシート本体；
シロアリの移動のために前記シート本体に形成されるシロアリ移動路；及び
シロアリ殺虫剤組成物により前記シート本体及び前記シロアリ移動路に形成されるシロアリ殺虫剤層、
を含むことを特徴とするシロアリ防除用シート。
【請求項２】
前記シート本体は、紙又は織物紙で形成される面状体と、該面状体に配置、固定される線形部材とで構成され、
前記シロアリ移動路は、前記線形部材と前記面状体との間に形成される間隙であることを特徴とする、請求項１に記載のシロアリ防除用シート。
【請求項３】
前記線形部材は、無機繊維糸又は有機繊維糸で構成され、接着剤により前記面状体に付着されることを特徴とする、請求項２に記載のシロアリ防除用シート。
【請求項４】
前記シート本体は紙又は織物紙で形成され、
前記シロアリ移動路は前記シート本体に線形構造で凹入形成される溝形通路で構成されたことを特徴とする、請求項１に記載のシロアリ防除用シート。
【請求項５】
前記溝形通路は、幅の狭い小幅通路と、該小幅通路に比して幅の広い大幅通路とを含むことを特徴とする、請求項４に記載のシロアリ防除用シート。
【請求項６】
前記溝形通路は、複数の屈曲部を有するように形成されたことを特徴とする、請求項４に記載のシロアリ防除用シート。
【発明の詳細な説明】
【技術分野】
【０００１】
本発明は、シロアリ防除用シートに係り、更に詳しくは、シロアリの防除特性に優れ、取り扱い及び設置が容易であり、被設置物の損傷及び変形を防止することができるシロアリ防除用シートに関する。
【背景技術】
【０００２】
一般に、木造建築物は、自然環境の様々な要因から直接又は間接的に毀損の影響を受けているが、近来、虫害による木材の加害は、木材自体が昆虫の栄養分として摂食を通じて蚕食されて損傷している。
【０００３】
木材を加害する昆虫には、シロアリ目（Isoptera）、鞘翅目（Coleoptera）、シミ目（Thysanura）、ゴキブリ目（Blattaria）、膜翅目（Hymenoptera）など6目が存在しており、我が国ではシロアリ目と鞘翅目、膜翅目などの加害が目立って観察されている。
【０００４】
そして、木材の加害虫の中で代表的な昆虫であるシロアリは、木造建築物の柱やその他建築構造材を餌とし被害を与える昆虫であり、シロアリの被害を受けた構造材は、その機能を失って建築物の構造的不安定を引き起こしている。
【０００５】
このようなシロアリのうち、我が国では、地中シロアリの一種であるヤマトシロアリ（Reticulitermes  speratus）が主に生息している。ヤマトシロアリは我が国全域において確認されているが、ソウル、京畿、江原の韓国北部地域でもシロアリ摂食活動が確認されている。一般に、建物においてシロアリ加害による損傷が発生すると、建物の外観上では変化を発見できなくても木材の内部は既に空となっている空洞化現象が起こる。
【０００６】
現在、国内に生息するヤマトシロアリ（Reticulitermes  speratus）は地球温暖化の影響で、その個体数が大きく増加し、木造建築物などに深刻な被害を与えており、その分布範囲も広がっているなど拡散の兆しがある。生態的側面においてシロアリはゴキブリに似た特性を持ち、地中や木材内部などに生息場所を確保、繁殖するようになると防除が極めて難しく、生息場所は主に地中と木材内部であり、移動は蟻道や地上部を利用しているため、肉眼で確認できたときは既に相当な被害が進んだ状態が大部分である。
【０００７】
文化財庁の調査によれば、木造文化財の調査結果、16の箇所の231棟のうち78棟（33.8％）が被害を受けおり、日本の場合、国宝級文化財建築物の43％が被害を受けていることが判っている。
【０００８】
前述のシロアリの被害による問題を解決するための方策として、世界的にさまざまな研究開発活動が行われている。例えば、大韓民国公開特許公報第１０−１９９６−０００００１９号（公開日：１９９６年１月２５日）において、シロアリの侵入を検出するシロアリ警報装置が提案されているが、これは、シロアリの出現を検出する技術に過ぎないため、実質的な退治の方策になり得ない。
【０００９】
そして、大韓民国公開特許公報第１０−２０１０−００２９８４２号（公開日：２０１０年３月１７日）には、図１に示すような、地上シロアリステーションに関する技術が提案されている。
【００１０】
前記の地上シロアリステーションは、地上でシロアリを検出及び防除するための地上シロアリステーションにおいて、シロアリステーションの容器は内部空間を形成し、少なくとも部分的に地上搭載表面に接してその表面に搭載されるように構成されている。容器は、閉鎖された構成と、容器が搭載表面に搭載される間、容器の内部空間に接近できるようにする開放された構成との間で構成され得る。カートリッジは、容器の内部空間内に挿入され、内部空間から除去されるようにする大きさ及び構成を有し、一般的に、集結部材、集結部材と独立した餌マトリックス、及びカートリッジを単一ユニットとして容器の内部空間に対して位置させるために、ホルダーと組み立てて集結部材及び餌マトリックスを少なくとも部分的に保有するホルダーを含む。
【００１１】
前述の地上シロアリステーションは、シロアリの検出及び防除にある程度の効果はあるが、嵩張るため、取扱いが不便なうえ設置が難しく、複雑な木造建物の構造的特性に合わせて適切に対応できないだけでなく、さまざまなシロアリの侵入経路を完璧に遮断できないため、局部的な防除のみ可能で、防除効果が低いという限界がある。特に、木造文化財のような古い建築物に設置しようとする場合、変形及び損傷をきたし、耐久性に深刻な悪影響をもたらす欠点がある。
【発明の概要】
【発明が解決しようとする課題】
【００１２】
本発明は、前記内容に着目して提案されたもので、シロアリの防除特性に優れ、取扱い及び設置が容易で、被設置物の損傷及び変形を防止できるようにしたシロアリ防除用シートを提供することにその目的がある。
【課題を解決するための手段】
【００１３】
前記目的を達成するために、本発明に係るシロアリ防除用シートは、シロアリ除去のためのシロアリ防除用シートにおいて、被設置面に設置され、面状構造を有するシート本体；シロアリの移動のために該シート本体に形成されるシロアリ移動路；及びシロアリ殺虫剤組成物により前記シート本体及び前記シロアリ移動路に形成されるシロアリ殺虫剤層を含むことを特徴とする。
【００１４】
好ましくは、前記シート本体は、紙又は織物紙で形成される面状体と、該面状体に配置、固定される線形部材とで構成され、前記シロアリ移動路は、前記線形部材と前記面状体との間に形成される間隙で構成され得る。
【００１５】
ここで、前記線形部材は、無機繊維糸又は有機繊維糸で構成され、接着剤により前記面状体に付着され得る。
【００１６】
前記目的を達成するために、本発明に係るシロアリ防除用シートは、被設置面に設置され、面状構造を有するシート本体；シロアリの移動のために前記シート本体に形成されるシロアリ移動路；及びシロアリ殺虫剤組成物により前記シート本体及び前記シロアリ移動路に形成されるシロアリ殺虫剤層を含み、前記シート本体は紙又は織物紙で形成され、前記シロアリ移動路は、前記シート本体に線形構造で凹入形成される溝形通路形態で構成されたことを特徴とする。
【００１７】
ここで、前記溝形通路は、幅の狭い小幅通路と、該小幅通路に比して幅の広い大幅通路とを有するように構成され得る。
【００１８】
そして、前記溝形通路は、複数の屈曲部を有するように形成され得る。
【発明の効果】
【００１９】
本発明に係るシロアリ防除用シートによれば、シート本体が韓紙のような薄い紙で構成され木材に密着、設置される構造であるため、簡便に包囲しシロアリの侵入経路を完璧に遮断した状態で、該シート本体に形成されたシロアリ移動路を介してシロアリを誘因して防除することができ、防除効率が向上する効果がある。
【００２０】
また、本発明に係るシロアリ防除用シートは紙形態であるため、嵩張らず取り扱いが便利であり、複雑な木造構造物を損傷させることなく付着等の方法で簡便に設置することができる利点がある。特に、木造文化財のような古い建築物に設置しようとする場合、変形及び損傷を根本的に防止しつつ便利に防除することができる利点がある。
【図面の簡単な説明】
【００２１】
【図１】従来のシロアリ防除用シートを説明するための図である。
【図２】本発明の一実施例に係るシロアリ防除用シートを示す概略斜視図である。
【図３】本発明の一実施例に係るシロアリ防除用シートを説明するための、試作品の図面代用写真である。
【図４ａ】本発明の一実施例に係るシロアリ防除用シートの作用を説明する図であり、シロアリ防除用シートが設置された試験容器を示す。
【図４ｂ】本発明の一実施例に係るシロアリ防除用シートの作用を説明するための、実験後のシロアリ防除用シートの凹部を拡大して示す図面代用写真である。
【図４ｃ】本発明の一実施例に係るシロアリ防除用シートの作用を説明するための、実験後のシロアリ防除用シートの凹部を拡大して示す図面代用写真である。
【図５】本発明の他の実施例に係るシロアリ防除用シートを示す斜視図である。
【図６】本発明の他の実施例に係るシロアリ防除用シートの変形例を示す斜視図である。
【発明を実施するための形態】
【００２２】
以下、添付の図面を参照して本発明の実施例を具体的に説明する。
【００２３】
図２は、本発明の一実施例に係るシロアリ防除用シートを示す概略斜視図、図３は、本発明の一実施例に係るシロアリ防除用シートを説明するための、試作品の図面代用写真である。
【００２４】
図２及び図３を参照すると、本発明の一実施例に係るシロアリ防除用シート（1）は、木材のような被設置面（a）に設置され、面状構造で形成されたシート本体（11）、シロアリの移動のためにシート本体（11）に形成されるシロアリ移動路（12）、及びシロアリ殺虫剤組成物によりシート本体（11）に形成されるシロアリ殺虫剤層（図示せず）で構成されている。
【００２５】
前記シート本体（11）は、面状体（111）と、該面状体（111）に配置、固定される線形部材（112）とで構成される。ここで、面状体（111）は、韓紙のような紙、織物若しくはメリヤス生地で形成された織物紙、ビニル紙のような合成樹脂材シートなど面状構造で形成されたものであれば制限なく適用することができる。
【００２６】
また、線形部材（112）は、無機繊維糸若しくは有機繊維糸で構成されるもので、接着剤により面状体（111）に付着される。このとき、接着剤は、接着性に優れシロアリが忌避しないのであれば、特に制限なく種々の接着剤を選択、適用することができる。
【００２７】
一方、シロアリ移動路（12）は、別の移動路を製作した後、シート本体（11）に付着して構成することもできるが、本実施例では、面状の面状体（111）に線形部材（112）を付着することによって、面状体（111）の底面と線形部材（112）の両方に間隙が形成されるようにして構成する。
【００２８】
シロアリ殺虫剤層（図示せず）は、シロアリ殺虫剤組成物を塗布、浸漬等の方法で形成して構成する。シロアリ殺虫剤組成物は、シロアリの殺虫特性に優れ特に制限なく選択して適用することができるが、本実施例では、溶媒としてアルコールを適用してビストリフルロン（Bistrifluron）２ｗ／ｖ％となるように組成した溶液にシート本体（11）を浸漬させる形でシロアリ殺虫剤層を形成する。
【００２９】
以下、本発明の一実施例に係るシロアリ防除用シートの作用を簡単に説明する。
【００３０】
図４ａ乃至図４ｃは、本発明の一実施例に係るシロアリ防除用シートの作用を説明する図であって、図４ａは、シロアリ防除用シートが設置された試験容器を示すものであり、図４ｂ及び図４ｃは、実験後のシロアリ防除用シートの凹部を拡大して示す図面代用写真である。ここで、図４ｂは、平面からみた形状を示すものであり、図４ｃは、側面からみた形状を示すものである。
【００３１】
まず、図３に示すように、韓紙を長方形に切断して面状体（111）を製作し、接着剤を用いて線形部材（112）を付着する。
【００３２】
以後、溶媒としてアルコールを適用してビストリフルロン（Bistrifluron）２ｗ／ｖ％となるように組成した溶液にシート本体（11）を浸漬した後、乾燥し、シロアリ殺虫剤層（図示せず）を形成する。
【００３３】
このように製作されたシロアリ防除用シート（1）を、図４ａに示すように、アクリルで製作した試験容器（b）の底に付着し、ヤマトシロアリ（s；Reticulitermes  speratus）を投入して実験を行った結果、図４ｂ及び図４ｃに示すように、線形部材（112）により形成されたシロアリ移動路方向に移動した後、殺虫されることが分かる。
【００３４】
以下、本発明に係る他の実施例を説明するが、前述の一実施例に示す構成要素に類似する構成要素については具体的な説明を省略し、相違点を有する構成要素を中心に説明し、作用効果に関する事項も互いに類似するので具体的な説明を省略する。
【００３５】
図５は、本発明の他の実施例に係るシロアリ防除用シートを示す斜視図である。
【００３６】
図５を参照すると、本発明の他の実施例に係るシロアリ防除用シート（1'）は、被設置面に設置され、面状構造を有するシート本体（11）、シロアリの移動のためにシート本体（11）に形成されるシロアリ移動路（12'）、及びシロアリ殺虫剤組成物によりシート本体（11）に形成されるシロアリ殺虫剤層（図示せず）で構成され、シロアリ移動路（12'）としては、シート本体（11）に線形構造で凹入形成される溝形通路形態で構成される。
【００３７】
溝形通路は、韓紙のような紙で形成されたシート本体（11）に溝形態の通路を形成したもので、溝形通路の形成方法に特に制限はないが、代表的な方法で成形方法を用いることができる。
【００３８】
例えば、溶媒としてアルコールを適用してビストリフルロン（Bistrifluron）２ｗ／ｖ％となるように組成した溶液にシート本体（11）を浸漬した後、乾燥し、接着剤を塗布した後、プレスにより熱成形して形成することができる。このとき、プレスには溝形通路形成用突起が設けられた加熱金型（図示せず）が設置され、加圧時にシート本体（11）が押されて溝形通路が成形されるようにする。
【００３９】
図６は、本発明の他の実施例に係るシロアリ防除用シートの変形例を示す斜視図で、拡大部は、指し示す部分の概略的断面構造を示す断面図である。
【００４０】
図６を参照すると、本発明の他の実施例の変形例に係るシロアリ防除用シート（1’’）は、面状構造を有するシート本体（11）と、シロアリの移動のためのシロアリ移動路（12'）とで構成され、シロアリ移動路（12'）は、シート本体に線形構造で凹入、形成される溝形通路形態で構成され、前記溝形通路は、幅の狭い小幅通路（121）と、該小幅通路（121）に比して幅の広い大幅通路（122）とを有するように構成されている。
【００４１】
また、前記溝形通路は、限定された大きさのシート本体の面状体内でシロアリの十分な滞留時間を確保し、多くの個体数がとどまって殺虫され得るように複数の屈曲部（123）を有するように形成されている。
【００４２】
図６に示すような他の実施例の変形例に係るシロアリ防除用シート（1’’）は、シロアリが移動する溝形通路が幅の狭い小幅通路（121）と大幅通路（122）とで構成されており、種々の大きさのシロアリがシロアリ殺虫剤層に露出又は接触され得るため、防除効率が向上する利点がある。
【００４３】
また、溝形通路が複数の屈曲部（123）を有するように形成されているため、シロアリの十分な滞留時間を確保することができ、多くの個体数がとどまり得て、さらに防除効率が向上する特徴がある。
【００４４】
以上にて説明したのは、本発明に係るシロアリ防除用シートを実施するための実施例に過ぎず、本発明は、前記実施例に限定されず、以下の特許請求の範囲において請求するように本発明の要旨を逸脱しない範囲内において当該発明の属する分野における通常の知識を有する者であれば誰でも種々の変更実施が可能な範囲まで本発明の技術的思想があるといえる。
【００４５】
前記実施例において使用した用語は、単に、特定の実施例を説明するために使用されたもので、本発明を限定しようとする意図ではない。単数の表現は文脈上明らかに異なった意味ではない限り、複数の表現を含む。本願において、「含む」又は「有する」などの用語は、明細書に記載された特徴、数字、段階、動作、構成要素、部品又はこれらを組み合わせたものが存在することを指定しようとするものであって、一つ又はそれ以上の他の特徴や数字、段階、動作、構成要素、部品又はこれらを組み合わせたものの存在又は付加可能性を予め排除しないものと解すべきである。
【符号の説明】
【００４６】
1，1’，1’’：シロアリ防除用シート
11：シート本体
111：面状体
112：線形部材
12、12’：シロアリ移動路
121：小幅通路
122：大幅通路
123：屈曲部
a：被設置面
b：試験容器
s：シロアリ
【図１】
2016131567.tif 000003
【図２】
2016131567.tif 000004
【図５】
2016131567.tif 000005
【図６】
2016131567.tif 000006
【図３】
2016131567.tif 000007
【図４ａ】
2016131567.tif 000008
【図４ｂ】
2016131567.tif 000009
【図４ｃ】
2016131567.tif 000010